(57)【要約】【課題】  出荷時に、出荷する個体の情報を簡易に登録することが可能な個体出荷管理システムを提供する。【解決手段】  出荷管理データベース２１に記録された内容に基づいて、個体台帳出力部２４が、各個体の個体ＩＤと個体バーコードを併記した個体台帳を出力しておく。作業者は、個体を出荷する際、その個体に付された識別標上の個体ＩＤを確認し、個体台帳上において、対応する個体ＩＤに印を付ける。その後、印を付した個体ＩＤに対応する個体バーコードを個体ＩＤ取得装置１０により読み取り、個体出荷管理装置２０では、読み取った個体ＩＤに対応する出荷管理データベース２１内の出荷情報を“出荷済”の状態に変更する。【選択図】  図２
2007109124.tif 000002
【特許請求の範囲】
【請求項１】
飼育された個体の出荷状態を管理するシステムであって、
各個体の出荷状態を記録した出荷管理データベースと、
各個体の情報をバーコード化した個体バーコードと、各個体に付された識別標に表示された個体ＩＤとを併記して印刷した個体台帳と、
前記個体台帳に印刷された前記個体バーコードを読取るバーコード読取手段と、
前記個体バーコードを読取ることにより認識される個体ＩＤを用いて、前記出荷管理データベースを検索し、対応する個体について、出荷した旨の情報を登録する出荷状態登録手段と、
を有することを特徴とする個体出荷管理システム。
【請求項２】
前記個体台帳は、前記出荷管理データベースに登録されている個体のうち、出荷状態が未出荷の個体について、個体ＩＤと、個体ＩＤをバーコード化した個体バーコードを、個体台帳出力手段が出力することにより、作成されるものであることを特徴とする請求項１に記載の個体出荷管理システム。
【発明の詳細な説明】
【技術分野】
【０００１】
本発明は、家畜等の動きのある個体を出荷する際に、各個体の出荷を簡易に管理するための技術に関する。
【背景技術】
【０００２】
従来より、豚や牛等の家畜に個別の番号を付し、各個体の情報をコンピュータに記録し、履歴を管理することが行われている。この場合、各個体には、個体ＩＤを表記した耳標等の識別標を取り付け、その個体ＩＤを確認することにより、特定の個体を識別している。
【発明の開示】
【発明が解決しようとする課題】
【０００３】
最近では、耳標に、個体ＩＤと共に、その個体の情報をバーコード化した個体バーコードを印刷しておき、出荷時には、バーコードリーダーにより個体バーコードを読取ることにより、出荷された個体の情報を登録するようになってきている。しかしながら、このような手法では、個体が首を振ったり、耳を動かしたりするので、バーコードの読み込みが非常に困難である。
【０００４】
そこで、本発明は、出荷時に、出荷する個体の情報を簡易に登録することが可能な個体出荷管理システムを提供することを課題とする。
【課題を解決するための手段】
【０００５】
上記課題を解決するため、本発明では、飼育された個体の出荷状態を管理するシステムであって、各個体の出荷状態を記録した出荷管理データベースと、各個体の情報をバーコード化した個体バーコードと、各個体に付された識別標に表示された個体ＩＤとを併記して印刷した個体台帳と、前記個体台帳に印刷された前記個体バーコードを読取るバーコード読取手段と、前記個体バーコードを読取ることにより認識される個体ＩＤを用いて、前記出荷管理データベースを検索し、対応する個体について、出荷した旨の情報を登録する出荷状態登録手段を有する個体出荷管理システムを提供する。
【発明の効果】
【０００６】
本発明によれば、個体ＩＤと個体バーコードを併記して印刷した個体台帳を準備しておき、出荷すべき個体に付された識別標に表示された個体ＩＤに対応する個体バーコードを読取って、対応する個体ＩＤについて出荷された旨を登録するようにしたので、個体に付されたバーコードの読み込みを直接行うことなく、簡易に出荷する個体の情報を登録することが可能となる。
【発明を実施するための最良の形態】
【０００７】
以下、本発明の好適な実施形態について、図面を参照して詳細に説明する。
（１．識別標の取り付け）
まず、各個体に識別標の取り付けを行う。識別標としては、各個体を識別できるものであれば、どのような種類のものであっても良いが、本実施形態では、家畜の耳に取り付ける識別標である耳標を用いている。耳標には、各個体を特定するための個体ＩＤと、個体ＩＤをバーコード化した個体バーコードが印刷される。ここで、本実施形態において用いる耳標を図１に示す。
【０００８】
（２．個体情報の登録）
各個体への耳標の取り付けと並行して、各個体の情報を個体出荷管理システムの出荷管理データベースに登録する。具体的には、各個体の個体ＩＤと、収容されるブロック（個体が牛の場合は牧区）の情報を出荷管理データベースに登録することになる。さらに、出荷管理データベースには、各個体が未出荷であるか、出荷済であるかを示す出荷状態の情報を登録するが、この時点では、全て未出荷である。
【０００９】
（３．第１の実施形態・システム構成）
次に、本発明第１の実施形態に係る個体出荷管理システムについて説明する。図２は、本発明第１の実施形態に係る個体出荷管理システムの構成図である。図２において、１０は個体ＩＤ取得装置、１１はＩＤ読取部、１２はＩＤ記録部、２０は個体出荷管理装置、２１は出荷管理データベース、２２は情報読取部、２３は出荷状態登録部、２４は個体台帳出力部である。
【００１０】
個体ＩＤ取得装置１０は、各個体の個体ＩＤを可般型記録媒体に取得するための装置であり、ＩＤ読取部１１、ＩＤ記録部１２を有している。ＩＤ読取部１１は、個体台帳出力部２４から出力された個体台帳上の個体バーコードを読み取って、個体ＩＤを認識する機能を有している。ＩＤ記録部１２は、ＩＤ読取部１１が読み取り、認識した個体ＩＤを記録する機能を有している。個体ＩＤ取得装置１０は、可般型の市販のバーコードリーダーにより実現することができる。
【００１１】
個体出荷管理装置２０は、各個体の情報を管理する装置であり、出荷管理データベース２１、情報読取部２２、出荷状態登録部２３、個体台帳出力部２４を有している。出荷管理データベース２１は、各個体についての出荷状態等を記録したデータベースであり、各個体について、出荷状態を示す情報、および各個体が存在するブロック（牧区）を特定する情報が記録されている。ここで、出荷管理データベース２１に記録された情報の一例を図３（ａ）に示す。図３（ａ）に示すように、出荷管理データベース２１には、牧場で飼育されている各個体についての個体データが記録されている。これらの情報は、上述のように、各個体を牧場に収容する際に、登録される。
【００１２】
情報読取部２２は、可般型バーコードリーダーに内蔵の記録媒体（ＩＤ記録部１２）からブロックの特定情報および個体ＩＤを読み取る機能を有している。なお、図２におけるＩＤ記録部１２と情報読取部２２の間の点線は、ＩＤ記録部１２から情報読取部２２へのデータの経路を示している。ＩＤ記録部１２から情報読取部２２へのデータの受け渡しは、有線、無線のいずれを用いた手法であっても良い。出荷状態登録部２３は、ＩＤ記録部１２から読み取った個体ＩＤに対応する出荷管理データベース２１内の個体データの出荷情報を更新する機能を有している。個体台帳出力部２４は、出荷管理データベース２１内の情報に基づいて個体台帳を出力する機能を有している。このような個体出荷管理装置２０は、コンピュータ本体、コンピュータ本体に搭載した専用のソフトウェアにより実現することができる。
【００１３】
（３．２．個体台帳の出力）
個体の出荷をする際には、事前に個体台帳を出力する。具体的には、管理者が個体出荷管理装置２０に対して個体台帳の出力を指示すると、個体台帳出力部２４が、出荷管理データベース２１から出荷状態が“未出荷”となっている個体の個体ＩＤを抽出すると共に、抽出した個体ＩＤをバーコード化して個体バーコードを作成する。そして、用紙に個体ＩＤおよび個体バーコードを併記して出力する。例えば、図３（ａ）に示したような情報が記録された出荷管理データベース２１を基に得られる個体台帳を図４（ａ）に示す。図４（ａ）に示すように、出力された個体台帳には、個体ＩＤと個体バーコードが併記されている。また、個体ＩＤと個体バーコードの組は、牧区ごとに分けられている。図４（ａ）の例では、牧区１には、個体ＩＤ“００１”〜“００６”の個体が存在することを示している。
【００１４】
（３．３．処理動作）
続いて、図２に示したシステムの処理動作について説明する。まず、図４（ａ）に示したような個体台帳をあらかじめ出力しておく。そして、実際に個体を出荷する際、例えば、出荷用のトラックに個体を載せる際に、その個体に付されている耳標の個体ＩＤを目視で確認し、個体台帳上の対応する個体ＩＤに印を付ける。例えば、図４（ｂ）に示すように、ペンで個体ＩＤに丸印を付ける。なお、図４（ｂ）の例では、個体ＩＤ“００２”、“０１０”、“０１８”、“０２２”の個体が出荷された場合を示している。
【００１５】
そして、作業者は、個体台帳上の丸印を付けた個体ＩＤに対応する個体バーコードを個体ＩＤ取得装置１０で読取る。すると、個体バーコードに対応する個体ＩＤは、個体ＩＤ取得装置１０内のＩＤ記録部１２に記録される。すなわち、図４（ｂ）に示した個体台帳を用いた場合、個体ＩＤ取得装置１０内のＩＤ記録部１２には、図３（ｂ）に示すように、個体ＩＤ“００２”、“０１０”、“０１８”、“０２２”が記録されることになる。
【００１６】
続いて、個体ＩＤ取得装置１０内のＩＤ記録部１２に記録された個体ＩＤを、個体出荷管理装置２０の情報読取部２２に読取らせる。これは、個体ＩＤ取得装置１０と個体出荷管理装置２０をケーブルで接続して読み取らせるようにしても良いし、ＩＤ記録部１２が個体ＩＤ取得装置１０から着脱可能な記録媒体である場合には、情報読取部２２が、その記録媒体に対応した読取装置として読み取らせるようにしても良い。
【００１７】
情報読取部２２が、個体ＩＤ取得装置１０内のＩＤ記録部１２から個体ＩＤを読み取ると、出荷状態登録部２３は、読み取った個体ＩＤを用いて、出荷管理データベース２１を検索する。そして、該当する個体ＩＤの出荷情報を“出荷済”の状態に設定する。この結果、出荷管理データベース２１内の情報は図３（ｃ）に示すように更新されることになる。図３（ｃ）に示すように、個体ＩＤ“００２”、“０１０”、“０１８”、“０２２”については、出荷状態が“出荷済”に変更される。
【００１８】
（４．第２の実施形態）
続いて、第２の実施形態について説明する。図５は、本発明第２の実施形態に係る個体出荷管理システムの構成図である。図５中、図２に示したシステムと同一機能を有する構成要素については、同一符号を付して説明を省略する。図５に示す構成が、図２に示した構成と異なるのは、個体ＩＤ取得装置１０ａ、ＩＤ読取部１１ａの機能と、個体出荷管理装置２０が情報読取部２２を有していない点である。
【００１９】
個体ＩＤ取得装置１０ａは、各個体の個体ＩＤを取得するための装置である点では、図２に示した個体ＩＤ取得装置１０と同一であるが、可般型ではなく、個体出荷管理装置に有線で接続されている点で個体ＩＤ取得装置１０とは異なる。また、個体ＩＤ取得装置１０ａは、個体ＩＤ取得装置１０のようなＩＤ記録部１２を有していない。これは、個体ＩＤ取得装置１０ａ内のＩＤ読取部１１ａが読み取った個体ＩＤを、直接個体出荷管理装置２０内の出荷状態登録部２３に送信する処理を行うからである。
【００２０】
個体の出荷をする際の、個体台帳の出力は、第１の実施形態と同様に行われ、図４（ａ）に示したような個体台帳が出力される。そして、第１の実施形態と同様に、実際に個体を出荷する際に、その個体に付されている耳標の個体ＩＤを目視で確認し、個体台帳上の対応する個体ＩＤに、図４（ｂ）に示すように、印を付ける。
【００２１】
そして、作業者は、個体台帳上の丸印を付けた個体ＩＤに対応する個体バーコードを個体ＩＤ取得装置１０ａで読取る。すると、個体バーコードに対応する個体ＩＤは、個体ＩＤ取得装置１０ａ内のＩＤ読取部１１ａから出荷状態登録部２３に送信される。すなわち、図４（ｂ）に示した個体台帳を用いた場合、出荷状態登録部２３は、個体ＩＤ“００２”、“０１０”、“０１８”、“０２２”を順次ＩＤ読取部１１ａから受信することになる。
【００２２】
読取部１１ａから個体ＩＤを受信すると、出荷状態登録部２３は、受信した個体ＩＤを用いて、出荷管理データベース２１を検索する。そして、該当する個体ＩＤの出荷情報を“出荷済”の状態に設定する。この結果、出荷管理データベース２１内の情報は図３（ｃ）に示すように更新されることになる。図３（ｃ）に示すように、個体ＩＤ“００２”、“０１０”、“０１８”、“０２２”については、出荷状態が“出荷済”に変更される。
【００２３】
本発明では、以上のようにして、個体ＩＤと個体バーコードを併記して印刷した個体台帳を準備しておき、出荷すべき個体に付された識別標に表示された個体ＩＤに対応する個体バーコードを個体ＩＤ取得装置で読取ることにより、対応する個体ＩＤについて出荷された旨が登録されるので、個体に付されたバーコードの読み込みを直接行うことなく、簡易に出荷する個体の情報が、データベースに登録されることになる。特に、第２の実施形態によれば、現場にペンと個体台帳だけを持って行けば良く、個体ＩＤ取得装置１０ａ（具体的には、バーコードリーダー）を現場に持参する必要はなくなる。
【図面の簡単な説明】
【００２４】
【図１】個体に取り付ける耳標（識別標）の一例を示す図である。
【図２】本発明第１の実施形態に係る個体出荷管理システムの構成を示す図である。
【図３】出荷管理データベース２１、およびＩＤ記録部１２に記録された情報の一例を示す図である。
【図４】本発明で用いる個体台帳を示す図である。
【図５】本発明第２の実施形態に係る個体出荷管理システムの構成を示す図である。
【符号の説明】
【００２５】
１０、１０ａ・・・個体ＩＤ取得装置
１１、１１ａ・・・ＩＤ読取部
１２・・・ＩＤ記録部
２０・・・個体出荷管理装置
２１・・・出荷管理データベース
２２・・・情報読取部
２３・・・出荷状態登録部
２４・・・個体台帳出力部
【図１】
2007109124.tif 000003
【図２】
2007109124.tif 000004
【図３】
2007109124.tif 000005
【図４】
2007109124.tif 000006
【図５】
2007109124.tif 000007